(57)【要約】【課題】特賞状態の発生が決定した遊技機と異なる機種の遊技機に対しても特賞予告を行うことが可能であり、機種及びメーカを問わず、すべての遊技機を対象範囲とした特賞予告を行うことができる遊技機，遊技用装置，及び該遊技用装置を含む遊技用システムを提供する。【解決手段】パチンコ機５から出力された第１特賞予告情報が、グループ設定された呼出ランプ装置２０の第１特賞予告情報受信部２６ａに入力されると、Ｘポート２６ｂ，及びＹポート２６ｃから出力された第２特賞予告情報及びグループ情報が、隣接する呼出ランプ装置２０に送信され、最終的に接続されている全ての呼出ランプ装置２０に送信される。各呼出ランプ装置２０においてグループ判定され、第１特賞予告情報が入力された呼出ランプ装置２０と同じグループであれば特賞予告ランプ２１を発光させる。【選択図】        図５
2004329758.tif 000002
【特許請求の範囲】
【請求項１】
複数種類の識別情報を変動表示可能な変動表示装置を備え、該変動表示装置の表示結果が特定の表示態様となったときに、遊技者に有利な特賞状態が発生する遊技機であって、
前記変動表示装置の識別情報を変動表示する条件が成立したか否かを判定する変動条件成立判定手段と、
該変動条件成立判定手段により前記変動表示する条件が成立したと判定されたことに基づいて、前記変動表示装置の表示結果を決定する表示結果決定手段と、
前記変動表示装置の変動表示が停止する以前において、前記表示結果決定手段により決定された表示結果が前記特定の表示態様であるか否かを判定する表示結果判定手段と、
該表示結果判定手段により前記特定の表示結果であると判定されたことに基づいて、前記特賞状態の発生を予告する特賞予告情報を外部に出力する特賞予告情報出力手段と、
を備えることを特徴とする遊技機。
【請求項２】
請求項１に記載した遊技機であって、
前記表示結果決定手段により決定された表示結果となる識別情報の変動表示を開始する条件が成立したか否かを判定する変動開始条件成立判定手段をさらに備え、
前記特賞予告情報出力手段は、該変動開始条件成立判定手段により前記変動表示を開始する条件が成立したと判定される以前に、前記特賞予告情報を外部に出力することを特徴とする遊技機。
【請求項３】
請求項１又は２に記載した遊技機に対応して設けられる遊技用装置であって、
前記対応する遊技機の特賞予告情報出力手段から出力された特賞予告情報を受信する対応遊技機用特賞予告情報受信手段と、
前記対応する遊技機の特賞予告情報出力手段から出力された特賞予告情報を当該遊技用装置に隣接する他の遊技用装置に送信する特賞予告情報送信手段と、
他の遊技用装置の特賞予告情報送信手段から送信された特賞予告情報を受信する遊技用装置用特賞予告情報受信手段と、
前記特賞状態の発生予告を所定の報知態様で報知する報知手段と、
該報知手段における報知態様を記憶する報知態様記憶手段と、
前記対応遊技機用特賞予告情報受信手段又は前記遊技用装置用特賞予告情報受信手段により前記特賞予告情報を受信したことに基づいて、前記報知態様記憶手段に記憶されている報知態様から所定の報知態様を抽出する報知態様抽出手段と、
該報知態様抽出手段により抽出された所定の報知態様で前記報知手段を制御する報知制御手段と、を備え、
前記特賞予告情報送信手段は、前記他の遊技用装置の特賞予告情報送信手段から送信された特賞予告情報を他の遊技用装置に転送することを特徴とする遊技用装置。
【請求項４】
請求項３に記載した遊技用装置であって、
該遊技用装置が属するグループを設定するグループ設定手段と、
前記対応遊技機用特賞予告情報受信手段により前記特賞予告情報を受信したことに基づいて、前記グループ設定手段により設定されたグループを特定可能なグループ情報を他の遊技用装置に送信するグループ情報送信手段と、
他の遊技用装置のグループ情報送信手段から送信されたグループ情報を受信するグループ情報受信手段と、
該グループ情報受信手段により前記グループ情報を受信したことに基づいて、当該遊技用装置が該グループ情報から特定されるグループに属するか否かを判定するグループ情報判定手段と、を備え、
前記報知制御手段は、該グループ情報判定手段により前記グループに属すると判定されたときに、前記報知手段を制御することを特徴とする遊技用装置。
【請求項５】
請求項１又は２に記載した遊技機と、請求項３又は４に記載した遊技用装置と、からなる遊技用システム。
【請求項６】
請求項１又は２に記載した遊技機に対応して設けられる遊技用装置と、複数の該遊技用装置と通信可能な集中制御装置と、を含む遊技用システムであって、
前記集中制御装置は、
前記遊技機の特賞予告情報出力手段から出力された特賞予告情報を受信する遊技機用特賞予告情報受信手段と、
前記遊技機に対応する遊技用装置を個々に識別可能な情報を記憶する遊技用装置記憶手段と、
前記遊技機用特賞予告情報受信手段により前記特賞予告情報を受信したことに基づいて、前記遊技用装置記憶手段に記憶された各遊技機に対応した遊技用装置のうち、前記特賞予告情報を出力した遊技機に対応する遊技用装置を少なくとも含む一以上の遊技用装置に対して前記特賞予告情報を送信する特賞予告情報送信手段と、を備え、
前記遊技用装置は、
前記集中制御装置の特賞予告情報送信手段から送信された特賞予告情報を受信する集中制御装置用特賞予告情報受信手段と、
前記特賞状態の発生予告を所定の報知態様で報知する報知手段と、
該報知手段における報知態様を記憶する報知態様記憶手段と、
前記集中制御装置用特賞予告情報受信手段により前記特賞予告情報を受信したことに基づいて、前記報知態様記憶手段に記憶されている報知態様から所定の報知態様を抽出する報知態様抽出手段と、
該報知態様抽出手段により抽出された所定の報知態様で前記報知手段を制御する報知制御手段と、を備えることを特徴とする遊技用システム。
【請求項７】
請求項６に記載した遊技用システムであって、
前記集中制御装置は、
前記特賞予告情報を送信する遊技用装置のグループを設定するグループ設定手段と、
前記遊技機用特賞予告情報受信手段により前記特賞予告情報及び前記遊技機識別情報を受信したときに、前記グループ設定手段による設定に基づいて、該遊技機識別情報から特定される遊技機に対応する遊技用装置が属するグループを特定するグループ特定手段と、を備え、
前記特賞予告情報送信手段は、該グループ特定手段により特定されたグループに属する各遊技用装置に対して前記特賞予告情報を送信することを特徴とする遊技用システム。
【請求項８】
請求項１又は２に記載した遊技機と、請求項６又は７に記載した遊技用システムと、からなる遊技用システム。
【請求項９】
請求項３〜８のいずれか１つに記載した遊技用装置又は遊技用システムであって、
前記報知態様記憶手段は、複数種類の報知態様を記憶しており、
前記報知態様抽出手段は、前記特賞予告情報を受信したことに基づいて、前記報知態様記憶手段に記憶されている複数種類の報知態様から任意の報知態様を抽出することを特徴とする遊技用装置又は遊技用システム。
【発明の詳細な説明】
【０００１】
【発明の属する技術分野】
本発明は、変動表示装置の表示結果が予め定められた特定の表示態様となったときに特賞状態が発生する遊技機，該遊技機に対応して設けられる遊技用装置，及び該遊技用装置を含む遊技用システムに係り、特に特賞状態の発生を予告するものに関する。
【０００２】
【従来の技術】
従来より、複数種類の識別情報を変動表示可能な変動表示装置を備え、該変動表示装置が特定の表示態様となったときに、遊技者にとって有利な特賞状態が発生する遊技機（例えばパチンコ機）が提供されている。通常、前記変動表示装置が特定の表示態様となるか否か（即ち特賞状態が発生するか否か）は該変動表示装置の変動表示前に決定されている。これを利用して、前記変動表示装置の変動表示前に該変動表示装置を備えたパチンコ機を含む複数のパチンコ機の枠ランプを発光させることにより特賞予告を行って、遊技者に自らのパチンコ機で特賞が発生するという期待感を与えることの出来るパチンコ機が提案されている（例えば特許文献１を参照）。
【０００３】
【特許文献１】
特開平５−３０５１７５号公報（第２頁，図２）
【０００４】
【発明が解決しようとする課題】
しかしながら、前記パチンコ機では、特賞予告を行う際にパチンコ機に設置された枠ランプの発光によって特賞予告を行っていた。通常、この枠ランプの制御方法や信号の入出力インターフェイスはパチンコ機の機種等に応じて各パチンコ機メーカーが独自に決定しているため、前記枠ランプによる特賞予告は基本的に同一機種のパチンコ機に対してしか行うことができず、異なる機種のパチンコ機において特賞予告を行うためには、枠ランプのインターフェイスを異機種間で統一しなければならず実現が困難であった。
【０００５】
本発明はこのような背景のもとになされたものであり、その目的は、特賞状態の発生が決定した遊技機と異なる機種の遊技機に対しても特賞予告を行うことが可能であり、機種及びメーカを問わず、すべての遊技機を対象範囲とした特賞予告を行うことができる遊技機，遊技用装置，及び該遊技用装置を含む遊技用システムを提供することにある。
【０００６】
【課題を解決するための手段】
本発明は、前記課題を解決するために、次のような手段を採る。
【０００７】
まず請求項１に係る発明は、複数種類の識別情報を変動表示可能な変動表示装置を備え、該変動表示装置の表示結果が特定の表示態様となったときに、遊技者に有利な特賞状態が発生する遊技機であって、前記変動表示装置の識別情報を変動表示する条件が成立したか否かを判定する変動条件成立判定手段と、該変動条件成立判定手段により前記変動表示する条件が成立したと判定されたことに基づいて、前記変動表示装置の表示結果を決定する表示結果決定手段と、前記変動表示装置の変動表示が停止する以前において、前記表示結果決定手段により決定された表示結果が前記特定の表示態様であるか否かを判定する表示結果判定手段と、該表示結果判定手段により前記特定の表示結果であると判定されたことに基づいて、前記特賞状態の発生を予告する特賞予告情報を外部に出力する特賞予告情報出力手段と、を備えることを特徴とする遊技機である。
【０００８】
また請求項２に係る発明は、請求項１に記載した遊技機であって、前記表示結果決定手段により決定された表示結果となる識別情報の変動表示を開始する条件が成立したか否かを判定する変動開始条件成立判定手段をさらに備え、前記特賞予告情報出力手段は、該変動開始条件成立判定手段により前記変動表示を開始する条件が成立したと判定される以前に、前記特賞予告情報を外部に出力することを特徴とする遊技機である。
【０００９】
また請求項３に係る発明は、請求項１又は２に記載した遊技機に対応して設けられる遊技用装置であって、前記対応する遊技機の特賞予告情報出力手段から出力された特賞予告情報を受信する対応遊技機用特賞予告情報受信手段と、前記対応する遊技機の特賞予告情報出力手段から出力された特賞予告情報を当該遊技用装置に隣接する他の遊技用装置に送信する特賞予告情報送信手段と、他の遊技用装置の特賞予告情報送信手段から送信された特賞予告情報を受信する遊技用装置用特賞予告情報受信手段と、前記特賞状態の発生予告を所定の報知態様で報知する報知手段と、該報知手段における報知態様を記憶する報知態様記憶手段と、前記対応遊技機用特賞予告情報受信手段又は前記遊技用装置用特賞予告情報受信手段により前記特賞予告情報を受信したことに基づいて、前記報知態様記憶手段に記憶されている報知態様から所定の報知態様を抽出する報知態様抽出手段と、該報知態様抽出手段により抽出された所定の報知態様で前記報知手段を制御する報知制御手段と、を備え、前記特賞予告情報送信手段は、前記他の遊技用装置の特賞予告情報送信手段から送信された特賞予告情報を他の遊技用装置に転送することを特徴とする遊技用装置である。
【００１０】
また請求項４に係る発明は、請求項３に記載した遊技用装置であって、該遊技用装置が属するグループを設定するグループ設定手段と、前記対応遊技機用特賞予告情報受信手段により前記特賞予告情報を受信したことに基づいて、前記グループ設定手段により設定されたグループを特定可能なグループ情報を他の遊技用装置に送信するグループ情報送信手段と、他の遊技用装置のグループ情報送信手段から送信されたグループ情報を受信するグループ情報受信手段と、該グループ情報受信手段により前記グループ情報を受信したことに基づいて、当該遊技用装置が該グループ情報から特定されるグループに属するか否かを判定するグループ情報判定手段と、を備え、前記報知制御手段は、該グループ情報判定手段により前記グループに属すると判定されたときに、前記報知手段を制御することを特徴とする遊技用装置である。
【００１１】
また請求項５に係る発明は、請求項１又は２に記載した遊技機と、請求項３又は４に記載した遊技用装置と、からなる遊技用システムである。
【００１２】
また請求項６に係る発明は、請求項１又は２に記載した遊技機に対応して設けられる遊技用装置と、複数の該遊技用装置と通信可能な集中制御装置と、を含む遊技用システムであって、前記集中制御装置は、前記遊技機の特賞予告情報出力手段から出力された特賞予告情報を受信する遊技機用特賞予告情報受信手段と、前記遊技機に対応する遊技用装置を個々に識別可能な情報を記憶する遊技用装置記憶手段と、前記遊技機用特賞予告情報受信手段により前記特賞予告情報を受信したことに基づいて、前記遊技用装置記憶手段に記憶された各遊技機に対応した遊技用装置のうち、前記特賞予告情報を出力した遊技機に対応する遊技用装置を少なくとも含む一以上の遊技用装置に対して前記特賞予告情報を送信する特賞予告情報送信手段と、を備え、前記遊技用装置は、前記集中制御装置の特賞予告情報送信手段から送信された特賞予告情報を受信する集中制御装置用特賞予告情報受信手段と、前記特賞状態の発生予告を所定の報知態様で報知する報知手段と、該報知手段における報知態様を記憶する報知態様記憶手段と、前記集中制御装置用特賞予告情報受信手段により前記特賞予告情報を受信したことに基づいて、前記報知態様記憶手段に記憶されている報知態様から所定の報知態様を抽出する報知態様抽出手段と、該報知態様抽出手段により抽出された所定の報知態様で前記報知手段を制御する報知制御手段と、を備えることを特徴とする遊技用システムである。
【００１３】
また請求項７に係る発明は、請求項６に記載した遊技用システムであって、前記集中制御装置は、前記特賞予告情報を送信する遊技用装置のグループを設定するグループ設定手段と、前記遊技機用特賞予告情報受信手段により前記特賞予告情報及び前記遊技機識別情報を受信したときに、前記グループ設定手段による設定に基づいて、該遊技機識別情報から特定される遊技機に対応する遊技用装置が属するグループを特定するグループ特定手段と、を備え、前記特賞予告情報送信手段は、該グループ特定手段により特定されたグループに属する各遊技用装置に対して前記特賞予告情報を送信することを特徴とする遊技用システムである。
【００１４】
また請求項８に係る発明は、請求項１又は２に記載した遊技機と、請求項６又は７に記載した遊技用システムと、からなる遊技用システムである。
【００１５】
さらに請求項９に係る発明は、請求項３〜８のいずれか１つに記載した遊技用装置又は遊技用システムであって、前記報知態様記憶手段は、複数種類の報知態様を記憶しており、前記報知態様抽出手段は、前記特賞予告情報を受信したことに基づいて、前記報知態様記憶手段に記憶されている複数種類の報知態様から任意の報知態様を抽出することを特徴とする遊技用装置又は遊技用システムである。
【００１６】
【発明の実施の形態】
本発明は、変動表示装置を備えた遊技機（ここではパチンコ機５）と、該遊技機に対応して設けられ、報知手段を備えた遊技用装置（ここでは呼出ランプ装置２０）と、該遊技機及び該遊技用装置を含む遊技用システムに係り、特に遊技機から送出された特賞状態の発生を予告する特賞予告情報に基づいて、遊技用装置が備える報知手段（ここでは特賞予告ランプ２１）によって特賞状態の発生を予告することが可能なものである。以下、本発明の実施の形態を、図面を参照して説明する。
【００１７】
この本発明には、図５に示すように、パチンコ機５において特賞状態の発生が決定されると、該パチンコ機５が特賞状態の発生予告を特定可能な第１特賞予告情報を対応する呼出ランプ装置２０に送信し、該呼出ランプ装置２０から他の呼出ランプ装置２０に第２特賞予告情報、及び当該呼出ランプ装置２０が属するグループを特定可能なグループ情報が順次連鎖的に送信され、これを受信した各呼出ランプ装置２０がグループ判定（即ちグループ情報から特定したグループが、自らが属するグループと同一であるか否かの判定）を行って、特賞予告ランプ２１の発光制御を行う（即ちグループが同一であれば発光し、同一でなければ発光しない）第１実施形態に係る遊技用システム１と、図９に示すようにパチンコ機５が、特賞状態の発生予告を特定可能な第３特賞予告情報を台端末３’に送信し、これを受信した台端末３’が該第３特賞予告情報と、該パチンコ機５の台番号を特定可能な遊技機識別情報を送信し、さらにこれを受信したホールコンピュータ４０’がグループ判定（即ち遊技機識別情報から特定したパチンコ機５の台番号に対応する呼出ランプ装置２０’が属するグループの判定）を行い、判定したグループに属する各呼出ランプ装置２０’に特賞状態の発生予告を特定可能な第４特賞予告情報を送信し、これを受信した該各呼出ランプ装置２０’が各特賞予告ランプ２１を所定の発光態様で発光させる第２実施形態に係る遊技用システム１’と、が含まれる。
【００１８】
以下においては、まず第１実施形態に係るパチンコ機５及び呼出ランプ装置２０とから構成される遊技用システム１について説明を行い、次に第２実施形態に係る遊技用システム１’について、第１実施形態と異なる点について説明を行う。
【００１９】
［１．第１実施形態に係る遊技用システム１］
図１は第１実施形態に係るパチンコ機５，及び呼出ランプ装置２０を含む遊技用システム１の一例を表す機能ブロック図である。この遊技用システム１は図１に示すように、遊技機である複数のパチンコ機５と、各パチンコ機５に対応して設けられた遊技用装置である呼出ランプ装置２０と、からなる。なお各パチンコ機５に対応して、カードユニット３０が設けられている。各パチンコ機５は各々が対応する呼出ランプ装置２０と情報出力基板１８を介して接続されている。呼出ランプ装置２０は隣接する呼出ランプ装置２０と通信部２６を介して通信可能に接続されている。各パチンコ機５，及び各呼出ランプ装置２０は、台番号によって識別可能とされている。
【００２０】
図２に示すパチンコ機５は、複数種類の識別情報を変動表示可能な変動表示装置１１を備え、該変動表示装置１１の表示結果が特定の表示態様となったときに、遊技者に有利な特賞状態が発生する遊技機の一例である。このパチンコ機５は、遊技媒体としてパチンコ玉を使用し、該パチンコ玉を遊技領域１０に打ち込むことにより遊技を行うものであり、ここでは後述するカードユニット３０と通信可能に接続され、該カードユニット３０との間でパチンコ玉の貸出に関する信号のやり取りが行われてパチンコ玉が貸し出される、いわゆるＣＲ式のパチンコ機５である。
【００２１】
このパチンコ機５の前面には、図２（ａ）に示すように、遊技領域１０と、パチンコ玉を該遊技領域１０に打ち込むための操作を受け付ける操作ハンドル６と、パチンコ機５の背面に設けられる玉払出装置１７（図１）から払い出されるパチンコ玉を貯留する上皿７と、該上皿７内に貯留しきれない余剰のパチンコ玉を貯留する下皿８が設けられている。また上皿７の前面には、カードユニット３０にて受け付けられているプリペイドカードの記録情報から特定されるプリペイド度数の残数を表示する残度数表示器７ａと、該残度数を使用したパチンコ玉の貸出操作を受け付ける玉貸ボタン７ｂと、該プリペイドカードの返却操作を受け付ける返却ボタン７ｃが設けられている。遊技領域１０の上部には遊技状態に応じた発光態様で発光し、遊技者の気分を盛り上げるための遊技効果ランプ９が設けられている。また図１に示すように、パチンコ機５の内部には、後述する遊技状態を制御する遊技制御基板１５と、玉払出装置１７を制御する玉払出制御基板１６と、後述する各種の情報を出力する情報出力基板１８が設けられている。これらパチンコ機５に設けられる各機器は、図１に示すように接続されている。
【００２２】
遊技領域１０には、図２（ｂ）に示すように、中央に変動表示装置１１が設けられ、該変動表示装置１１の下側に始動入賞口１２が設けられ、該始動入賞口１２の下側に大入賞口１３が設けられ、変動表示装置１１の下側に始動入賞記憶表示器１４が設けられている。ここで大入賞口１３は、通常時には開閉板１３ａにて閉成されていて打込玉が入賞不可能とされている。なお遊技領域１０には、一般入賞口も設けられており、該一般入賞口，前記始動入賞口１２，及び前記大入賞口１３に打込玉が入賞すると、該入賞に応じて予め定められた個数のパチンコ玉（いわゆる賞球）が玉払出装置１７から払い出されるように構成されている。また遊技領域１０には、いずれの入賞口にも入賞しなかった打込玉が取り込まれるアウト口も設けられている。
【００２３】
変動表示装置１１は、複数種類の識別情報を変動表示可能な変動表示装置の一例であって、始動入賞口１２への入賞に応じて変動表示が開始されて予め定められた所定の確率で特賞状態を表示するものである。この変動表示装置１１は、例えばＬＣＤ表示器であって、前記識別情報として０〜９の１０種類の図柄が３列に変動表示されるものであり、始動入賞口１２に打込玉が入賞すると変動表示が開始され、その後に該変動表示が停止制御される。この変動表示装置１１の表示は、前記遊技制御基板１５により制御され、予め定められた所定の確率で特賞状態が表示されるように構成されている。ここでは前記変動表示装置１１はＬＣＤ表示器によって構成されているが、他の表示器（ドラムやドットマトリックス等）で構成されていても良い。
【００２４】
なお変動表示装置１１が変動表示している最中に始動入賞口１２に打込玉が入賞すると、その始動入賞が記憶され、変動表示装置１１の変動表示が停止して再び変動開始できる状態になってから、該記憶された始動入賞に基づいて変動表示装置１１の変動表示が開始される。この始動入賞の記憶の上限値は例えば４個と定められており、現時点における始動入賞の記憶個数が始動入賞記憶表示器１４にて表示される。
【００２５】
遊技制御基板１５の制御により予め定められた所定の確率で特賞（いわゆる大当り）が発生した場合には、変動表示装置１１において前記３列の図柄が全て同一（例えば７７７等の１０通りのゾロ目）の図柄で変動停止され、特賞状態が表示されて、遊技者にとって有利な遊技状態が発生し、開閉板１３ａが閉成している第２の状態から開閉板１３ａが開成して大入賞口１３に打込玉が入賞可能な第１の状態となる。この第１の状態は、所定時間（例えば３０秒間）の経過，又は大入賞口１３への所定個数（例えば１０個）の打込玉の入賞の、いずれか早い方の条件が成立することによって終了し、第２の状態となる。一方、大入賞口１３内のある箇所には特定入賞領域（いわゆるＶポケット）が設けられており、第１の状態となっている大入賞口１３内に進入した打込玉が入賞すると、第１の状態が終了して第２の状態となった後に一定のインターバル期間が経過するのを待って、再び開閉板１３ａを第１の状態に駆動制御する、繰り返し継続制御が行われる。この繰り返し継続制御の上限回数は例えば１５回と定められており、該繰り返し継続制御が終了することにより大当り状態が終了する。
【００２６】
呼出ランプ装置２０は、遊技機（ここではパチンコ機５）に対応して設けられる遊技用装置の一例であって、特賞状態の発生予告を所定の報知態様で報知する発光部材（ここでは特賞予告ランプ２１）を備えており、特賞予告ランプ２１を所定の発光態様で発光させることによって特賞状態の発生予告を遊技者が一見して把握するための機能を提供するためのものである。この呼出ランプ装置２０は、図２に示すように横長の箱形の形状を呈するものであり、その前面には、図２及び図４に示すように、特賞予告ランプ２１，ランプ２２，ディスプレイ２３，呼出ボタン２４，及びモード切替キー２５が設けられており、その内部には、図１に示すように、通信部２６，及び制御部２７が設けられている。これら呼出ランプ装置２０に設けられる各機器は、図１に示すように接続されている。パチンコ機５で遊技を行っている遊技者が店員を呼びたい場合には、呼出ボタン２４を押すことによってランプ２２が所定の発光態様で発光し、店員に呼出を報知することが出来る。ディスプレイ２３には特賞回数や、回転数のデータが表示される。なお、この呼出ボタン２４，及びディスプレイ２３は、後述するグループ設定手段としても使用される。
【００２７】
特賞予告ランプ２１は、特賞状態の発生予告を所定の報知態様で報知する報知手段の一例であって、特賞状態の発生が決定されたパチンコ機５に対応する呼出ランプ装置２０と同じグループに属している場合に発光する。
【００２８】
モード切替キー２５と、前記呼出ボタン２４，ディスプレイ２３，及び後述するモード切替手段２７ｅは該呼出ランプ装置２０が属するグループを設定するグループ設定手段の一例であって、以下に示す方法によってグループを設定する。このグループ設定は第２特賞予告情報を受信した呼出ランプ装置２０が属するグループが、特賞状態の発生が決定しているパチンコ機５に対応する呼出ランプ装置２０より送信されたグループ情報から特定されるグループに属しているか否かを判断するために行うものである。
【００２９】
図３（ａ）は遊技場の開店前における呼出ランプ装置２０のディスプレイ２３の表示内容である。ディスプレイ２３の上段部分には該呼出ランプ装置２０に対応するパチンコ機５で発生した本日の大当り回数，及び回転数（前回大当りが発生した後からの変動表示装置１１の変動回数）が表示され、下段部分には前日，２日前，及び３日前に発生した大当り回数が表示されている。この状態を通常モードと呼び、普段遊技者が遊技をしている状態では、呼出ランプ装置２０は通常モードである。
【００３０】
この図３（ａ）に示す通常モードの状態において、ディスプレイ２３の左側に設けられたモード切替キー２５に対応する所定のキーを差し込んで右に回すと、呼出ランプ装置２０は制御部２７のモード切替手段２７ｅ（図４）によって図３（ｂ）に示すグループ設定モードに切り替わる。このグループ設定モードではディスプレイ２３の上段部分にグループ設定モードを示す表示がされ、下段部分にはグループを表すＡ〜Ｚの文字が表示される。このＡ〜Ｚの文字のいずれかの下部にはカーソルが表示されていて、当該呼出ランプ装置２０が属するグループを示している。図３（ｂ）の状態ではＡにカーソルが位置しているため、この呼出ランプ装置２０が属するグループはＡである。また、このカーソルは呼出ボタン２４を１回押す毎にＡ，Ｂ，Ｃ，…と移動させることができ、グループの変更を行うことができる。例えば呼出ランプ装置２０のグループをＡからＪに変更する場合には、グループＡにカーソルが位置している状態（図３（ｂ））において呼出ボタン２４を８回押してカーソルをＡ〜Ｊに移動させる（図３（ｃ））。この状態でモード切替キー２５を左に戻すことによって所属グループがＡからＪに変更され、制御部２７のモード切替手段２７ｅによって標準モードに戻る（図３（ａ））。この際設定されたグループを特定可能なグループ情報がグループ記憶手段２７ｆ（図４）に記憶される。
【００３１】
カードユニット３０は遊技媒体（ここではパチンコ玉）貸与処理装置の一例である。このカードユニット３０は、図２に示すように縦長の箱形の形状を呈するものであり、その前面には、プリペイドカードを受け付けるカード挿入・排出口３１ａが設けられ、その内部には、前記玉払出制御基板１６との間でパチンコ玉の貸出に関する信号のやり取りを行う玉貸通信部３２と、カードユニット３０の全体を制御する制御部３３と、前記カード挿入・排出口３１ａにて受け付けられたプリペイドカードの記録情報を読み取るカードリーダライタ３１が設けられている。これらカードユニット３０に設けられる各機器は、図１に示すように接続されている。なお玉貸通信部３２は、玉払出制御基板１６を介して、前述した残度数表示器７ａ，玉貸ボタン７ｂ，及び返却ボタン７ｃとも接続されている。
【００３２】
次に、遊技用システム１を構成するパチンコ機５，及び呼出ランプ装置２０における処理の詳細について図４を用いて説明する。
【００３３】
まず、図４に示されるパチンコ機５のブロック図によって特賞状態の発生が決定される過程について説明する。パチンコ機５の内部には前述したように遊技制御基板１５が設けられていて、この遊技制御基板１５には変動表示装置１１の表示を制御するＬＣＤ回路１５ａと、始動入賞口１２に入賞した始動入賞玉を検出する始動入賞玉検出器１９ａのオン／オフを検知する検知回路１５ｂと、開閉板１３ａに接続されたソレノイドの制御を行うソレノイド回路１５ｃと、始動入賞記憶表示器１４や遊技効果ランプ９の発光制御を行うランプ回路１５ｄと、該パチンコ機５において特賞状態となった際に特賞情報を出力する特賞情報出力回路１５ｅと、特賞状態の発生を予告する特賞予告情報を出力する特賞予告情報出力回路１５ｆと、これら各種回路を制御するためのＣＰＵ，ＲＯＭ，ＲＡＭ，及び入出力回路から構成される回路制御部１５ｇを備える。なお、検知回路１５ｂは、前記始動入賞玉検出器１９ａの他、特定入賞領域に入賞した特定入賞玉を検出する特定入賞玉検出器１９ｂ，及び一般入賞口に入賞した一般入賞玉を検出する一般入賞玉検出器１９ｃとも接続されていて、各検出器のオン／オフを検知して各入賞玉の種類に応じた検知信号を回路制御部１５ｇに送信する。
【００３４】
ここで回路制御部１５ｇは、変動表示装置１１の識別情報を変動表示する条件が成立したか否かを判定する変動条件成立判定手段の一例である。具体的には始動入賞口１２にパチンコ玉が入賞した際に、始動入賞口１２の裏側に設けられた始動入賞玉検出器１９ａがオンとなり、検知回路１５ｂがオン状態を検知して回路制御部１５ｇに始動入賞の検知信号を送出する。この始動入賞の検知信号を受信した回路制御部１５ｇは現在の始動入賞の記憶（即ち保留玉）が上限値（ここでは４個）に達していなければ変動表示装置１１の変動表示条件が成立したと判定する。
【００３５】
また、回路制御部１５ｇは、変動表示装置１１の変動表示条件の成立判定により変動表示条件が成立したと判定されたことに基づいて、該変動表示装置１１の表示結果を決定する表示結果決定手段の一例である。具体的には回路制御部１５ｇは変動表示装置１１の変動表示条件が成立したと判定すると、これに伴って始動信号を導出して該始動信号の立下り時に刻々と変化する乱数の中から１つを抽出してＲＡＭに記憶する。回路制御部１５ｇはこの記憶した乱数の値に応じて変動表示装置１１の表示結果を決定する。
【００３６】
さらに、回路制御部１５ｇは、変動表示装置１１の変動表示が停止する以前において、表示結果決定手段（ここでは回路制御部１５ｇ）により決定された表示結果が特定の表示態様（即ち特賞状態が発生する表示態様）であるか否かを判断する表示結果判定手段の一例である。具体的には前記記憶した乱数が予め定めた値であれば特賞状態の発生を確定して、特賞予告情報出力回路１５ｆを駆動させ、特賞状態の発生予告を特定可能な第１特賞予告情報を、情報出力基板１８を介してパチンコ機５から対応する呼出ランプ装置２０に送出する。さらに回路制御部１５ｇは、特賞状態となる表示結果を決定し、該表示結果に応じた制御命令をＬＣＤ回路１５ａに送る。ＬＣＤ回路１５ａは、受信した制御命令に応じて変動表示装置１１に前記表示結果を表示する。また、抽出した乱数が前記予め定めた値でなければ特賞状態とはならない表示結果を決定し、該表示結果に応じた制御命令をＬＣＤ回路１５ａに送る。ＬＣＤ回路１５ａは、受信した制御命令に応じて変動表示装置１１に前記表示結果を表示する。このように特賞状態の発生は変動表示装置１１が変動表示を停止する以前に回路制御部１５ｇによって決定さる。
【００３７】
ここで、回路制御部１５ｇと、特賞予告情報出力回路１５ｆと、情報出力基板１８と、は表示結果判定手段（ここでは回路制御部１５ｇ）により特定の表示結果（即ち特賞状態が発生する表示態様）であると判定されたことに基づいて、前記特賞状態の発生を予告する特賞予告情報を外部に出力する特賞予告情報出力手段を構成している。即ち、特賞状態の発生が決定されると、回路制御部１５ｇは特賞予告情報出力回路１５ｆを駆動させて特賞状態の発生予告を特定可能な第１特賞予告情報を情報出力基板１８を介して対応する呼出ランプ装置２０に送出する。従って変動表示装置１１が変動表示を停止する以前であっても呼出ランプ装置２０において特賞状態の発生予告が可能になる。
【００３８】
さらに、回路制御部１５ｇは表示結果決定手段（ここでは回路制御部１５ｇ）により決定された表示結果となる識別情報の変動表示を開始する条件が成立したか否かを判定する変動開始条件成立判定手段の一例であって、始動入賞の記憶（保留玉）が無い場合には、前記変動条件成立判定手段によって変動表示装置１１の識別情報を変動表示する条件が成立したと判定されると、該変動表示を開始する条件も成立したと判定してＬＣＤ回路１５ａに決定した表示結果に基づく制御命令を送り、変動表示装置１１の変動表示が開始される。また、前述したように変動表示装置１１が変動表示している最中に始動入賞口１２に打込玉が入賞すると、その始動入賞が回路制御部１５ｇに記憶され（即ち保留玉となり）、該入賞に対して、前記表示結果決定手段，及び前記表示結果判定手段である回路制御部１５ｇによって特賞状態が発生するか否かが決定される。特賞状態の発生が決定された場合には、回路制御部１５ｇが特賞予告情報出力回路１５ｆを駆動させ、特賞状態の発生予告を特定可能な第１特賞予告情報を、情報出力基板１８を介してパチンコ機５から対応する呼出ランプ装置２０に送出する。その後、ＬＣＤ回路１５ａが変動表示装置１１の変動表示を停止させると、ＬＣＤ回路１５ａから変動表示停止信号が回路制御部１５ｇに送られ、これを受信した回路制御部１５ｇが変動表示を開始する条件が成立した（即ち前回の始動入賞に基づく変動表示が終了することによって、現在の保留玉に基づいて変動表示を開始する条件が成立した）と判定してＬＣＤ回路１５ａに決定した表示結果に基づく制御命令を送り、変動表示装置１１の変動表示が開始される。このように始動入賞が記憶されている場合（即ち保留玉がある場合）には、該記憶された始動入賞に基づく変動表示が開始する前に特賞状態の発生が決定され、第１特賞予告情報が対応する呼出ランプ装置２０に送出される。従って始動入賞が記憶されている場合には変動表示装置１１が変動表示を開始する以前であっても特賞状態の発生予告が可能になる。
【００３９】
なお、変動表示装置１１の変動表示が停止され、表示結果が特賞状態を発生させる予め定められた所定の表示結果となった場合には、回路制御部１５ｇは、特賞情報出力回路１５ｅを駆動させて情報出力基板１８を介して特賞状態が発生したことを特定可能な特賞情報を対応する呼出ランプ装置２０に送出する。
【００４０】
次にパチンコ機５に対応して設けられる遊技用装置である呼出ランプ装置２０が行う処理について図４のブロック図を用いて説明する。呼出ランプ装置２０には前述した特賞予告ランプ２１，ランプ２２，ディスプレイ２３，呼出ボタン２４，及びモード切替キー２５，通信部２６，及び制御部２７によって構成されている。さらに通信部２６は第１特賞予告情報受信部２６ａ，Ｘポート２６ｂ，Ｙポート２６ｃ，及び特賞情報受信部２６ｄを備えている。
【００４１】
第１特賞予告情報受信部２６ａは、対応する遊技機（パチンコ機５）の特賞予告情報出力手段（情報出力基板１８）から出力された特賞予告情報（第１特賞予告情報）を受信する対応遊技機用特賞予告情報受信手段の一例であって、第１特賞予告情報を受信して制御部２７に送信する。
【００４２】
Ｘポート２６ｂ，及びＹポート２６ｃは対応する遊技機（パチンコ機５）の特賞予告情報出力手段（情報出力基板１８）から出力された特賞予告情報（第１特賞予告情報）を当該遊技用装置（呼出ランプ装置２０）に隣接する他の遊技用装置に送信する特賞予告情報送信手段の一例である。制御部２７は、第１特賞予告情報受信部２６ａから送信された第１特賞予告情報を受信すると、Ｘポート２６ｂ，及びＹポート２６ｃから隣接する呼出ランプ装置２０に対して特賞状態の第２特賞予告情報を送信する。具体的には、Ｘポート２６ｂが制御部２７から送信された第１特賞予告情報を受信すると、隣接する一方の呼出ランプ装置２０のＹポート２６ｃに第２特賞予告情報を送信する。また、Ｙポート２６ｃは制御部２７から送信された第１特賞情報を受信すると、隣接する他方の呼出ランプ装置２０のＸポート２６ｂに第２特賞予告情報を送信する。ここで、第２特賞予告情報は第１特賞予告情報と同じく特賞状態の発生予告を特定可能な情報であるが、以下、パチンコ機５から送出された場合を第１特賞予告情報、呼出ランプ装置２０から送出された場合を第２特賞予告情報としてこれらを区別する。また、特賞予告情報送信手段であるＸポート２６ｂ，及びＹポート２６ｃは、後述するように他の遊技用装置の特賞予告情報送信手段から送信された特賞予告情報を他の遊技用装置に転送する。
【００４３】
また、Ｘポート２６ｂ，及びＹポート２６ｃは他の遊技用装置（呼出ランプ装置２０）の特賞予告情報送信手段（Ｘポート２６ｂ，及び／又はＹポート２６ｃ）から送信された特賞予告情報（第２特賞予告情報）を受信する遊技用装置用特賞予告情報受信手段の一例である。ここではＸポート２６ｂは、隣接する一方の呼出ランプ装置２０から送られてきた第２特賞予告情報を受信すると制御部２７に該第２特賞予告情報を送信し、これを受信した制御部２７はＹポート２６ｃから該第２特賞予告情報を隣接する他方の呼出ランプ装置２０に送信する。また、Ｙポート２６ｃは、隣接する一方の呼出ランプ装置２０から送られてきた第２特賞予告情報を受信すると制御部２７に該第２特賞予告情報を送信し、これを受信した制御部２７はＸポート２６ｂから該第２特賞予告情報を隣接する他方の呼出ランプ装置２０に送信する。なお、本第１実施形態においては特賞予告情報送信手段であるＸポート２６ｂ，及びＹポート２６ｃは、他の遊技用装置（呼出ランプ装置２０）の特賞予告情報送信手段（情報出力基板１８）から送信された特賞予告情報（第２特賞予告情報）を送信元の遊技用装置（この場合は隣接する一方の呼出ランプ装置２０）以外の他の遊技用装置（この場合は隣接する他方の呼出ランプ装置２０）に転送するが、制御部２７が受信した第２特賞予告情報をどこへ（Ｘポート２６ｂ，及び／又はＹポート２６ｃ）送信するかを制御することによって送信元の遊技用装置を含む他の遊技用装置（この場合は接続された両隣接する呼出ランプ装置２０）に転送することも可能である。
【００４４】
なお、Ｘポート２６ｂ，及びＹポート２６ｃは、隣接する一方の呼出ランプ装置２０から送られてきたグループ情報，及び特賞情報についても，第２特賞予告情報と同様に隣接する他方の呼出ランプ装置２０に送信する。
【００４５】
さらに、Ｘポート２６ｂ，及びＹポート２６ｃは、対応遊技機用特賞予告情報受信手段（第１特賞予告情報受信部２６ａ）により前記特賞予告情報（第１特賞予告情報）を受信したことに基づいて、前記グループ設定手段により設定されたグループを特定可能なグループ情報を他の遊技用装置（呼出ランプ装置２０）に送信するグループ情報送信手段の一例である。Ｘポート２６ｂ，及びＹポート２６ｃは上述したように、制御部２７から送信された第１特賞予告情報を第２特賞予告情報として隣接する呼出ランプ装置２０に送信する。続けて制御部２７は、グループ記憶手段２７ｆに記憶されている前記グループ設定手段によって設定されたグループを特定可能な情報（例えばグループ「Ａ」を特定可能な情報）をＸポート２６ｂ，及びＹポート２６ｃに送信し、これを受信したＸポート２６ｂ，及びＹポート２６ｃは第２特賞予告情報と同様に隣接する呼出ランプ装置２０に該グループ情報を送信する。
【００４６】
さらに、Ｘポート２６ｂ，及びＹポート２６ｃは他の遊技用装置のグループ情報送信手段から送信されたグループ情報を受信するグループ情報受信手段の一例であって、ここでは前述したように、Ｘポート２６ｂが、隣接する一方の呼出ランプ装置２０から送られてきたグループ情報を受信すると、該グループ情報はＹポート２６ｃから隣接する他方の呼出ランプ装置２０に送信される。Ｙポート２６ｃが隣接する一方の呼出ランプ装置２０から送られてきたグループ情報を受信すると、該グループ情報がＸポート２６ｂから隣接する他方の呼出ランプ装置２０に送信される。
【００４７】
制御部２７はＣＰＵ，ＲＡＭ，ＲＯＭ等を備えており、ＲＯＭに記憶されている処理プログラムがＲＡＭを作業領域としてＣＰＵで実行されることにより、呼出ランプ装置２０に備えられる各構成要素の動作を制御して各種の処理を行うものであり、第１特賞予告情報受信部２６ａ，Ｘポート２６ｂ，Ｙポート２６ｃ，及び特賞情報受信部２６ｄのデータ入出力制御を行う。また、グループ設定時には、モード切替手段２７ｅによって呼出ランプ装置の状態を標準モードからグループ設定モードに切り替える。このモード切替手段２７ｅは前記モード切替キー２５に連動して作動する。また、モードの切替時において表示制御手段２７ｄが、ディスプレイの表示を切り替える。
【００４８】
また、制御部２７はグループ情報判定手段２７ｇを備えている。このグループ情報判定手段２７ｇは、グループ情報受信手段（Ｘポート２６ｂ，及びＹポート２６ｃ）により前記グループ情報を受信したことに基づいて、当該遊技用装置（呼出ランプ装置２０）が該グループ情報から特定されるグループに属するか否かを判定するグループ情報判定手段の一例である。即ちＸポート２６ｂ，又はＹポート２６ｃがグループ情報を受信し、制御部２７に該グループ情報を送信すると、このグループ情報を受信した制御部２７は、グループ情報判定手段２７ｇによって該グループ情報から特定されるグループ（例えばグループ「Ａ」）と、前記グループ記憶手段２７ｆに記憶されているグループ（即ち当該呼出ランプ装置２０が属するグループ）と、が同一であるか否かを判断して、同一であれば後述するように発光態様抽出手段２７ｂによって発光態様記憶手段２７ａから発光態様を抽出して発光制御手段２７ｃによって特賞予告ランプ２１を発光させる。
【００４９】
さらに制御部２７は、発光態様記憶手段２７ａ，発光態様抽出手段２７ｂ，及び発光制御手段２７ｃを備えている。発光態様記憶手段２７ａは、報知手段である特賞予告ランプ２１における報知態様（ここでは発光態様）を記憶する報知態様記憶手段の一例であって、複数種類の報知態様（発光態様）を記憶している（例えば赤、青、黄の３色を記憶している）。発光態様抽出手段２７ｂは、対応遊技機用特賞予告情報受信手段（第１特賞予告情報受信部２６ａ），又は前記遊技用装置用特賞予告情報受信手段（Ｘポート２６ｂ，及びＹポート２６ｃ）により特賞予告情報（第１特賞予告情報，又は第２特賞予告情報）を受信したことに基づいて、前記報知態様記憶手段（発光態様記憶手段２７ａ）に記憶されている報知態様（発光態様）から所定の報知態様を抽出する報知態様抽出手段の一例であって、前記特賞予告情報（第１特賞予告情報，又は第２特賞予告情報）を受信したことに基づいて、前記報知態様記憶手段（発光態様記憶手段２７ａ）に記憶されている複数種類の報知態様（発光態様）から任意の報知態様（発光態様）を抽出する。発光制御手段２７ｃは、報知態様抽出手段（発光態様記憶手段２７ａ）により抽出された所定の報知態様（発光態様）で前記報知手段（特賞予告ランプ２１）を制御する報知制御手段の一例である。ここで、発光態様抽出手段２７ｂが複数の発光態様が記憶されている発光態様記憶手段２７ａから任意の発光態様を抽出（例えば赤、青、黄をランダムに抽出）することによって特賞予告ランプ２１を毎回異なる発光態様で発光させることが可能であり、特賞予告時の雰囲気を盛り上げることができる。
【００５０】
次に図５を用いて複数のパチンコ機５，及び呼出ランプ装置２０からなる遊技用システム１の作用についてその概要を説明する。ここでは、図５に示すように台番号１〜１０の各パチンコ機５に対応して設けられた台番号１〜１０の呼出ランプ装置２０から構成される遊技用システム１において、台番号３のパチンコ機５で特賞状態の発生が決定された場合について説明する。ここで台番号１〜５は前述したグループ設定方法によってグループＡに設定されていて、台番号６〜１０はグループＢに設定されている。ここでは、台番号として４及び９は用いられておらず、また、台番号３のパチンコ機５以外のパチンコ機５は図５中には図示しない。
【００５１】
図５に示すように呼出ランプ装置２０は、対応する遊技機からの情報の送信，及び受信が可能なＸポート２６ｂ，及びＹポート２６ｃを備えている。ここで各呼出ランプ装置２０（例えば台番号３）のＸポート２６ｂは隣り合う一方の呼出ランプ装置２０（台番号２）のＹポート２６ｃと通信可能に接続されていて、該各呼出ランプ装置２０（例えば台番号３）のＹポート２６ｃは隣り合う他方の呼出ランプ装置２０（台番号５）のＸポート２６ｂと通信可能に接続されている。ただし両端に位置する台番号１の呼出ランプ装置２０のＸポート２６ｂ，及び台番号１０の呼出ランプ装置２０のＹポート２６ｃは接続されない。
【００５２】
また、Ｘポート２６ｂに外部から入力された情報は、Ｙポート２６ｃから外部に出力され、Ｙポート２６ｃに外部から入力された情報はＸポート２６ｂから外部出力されるようになっている。従って、例えば台番号５の呼出ランプ装置２０のＸポート２６ｂが、送信元（この場合は台番号３の呼出ランプ装置２０）から送信された情報（ここでは第２特賞予告情報，及びグループ情報）を受信すると，台番号５の呼出ランプ装置２０のＹポート２６ｃが、該情報（第２特賞予告情報，及びグループ情報）を送信元以外（この場合は台番号６の呼出ランプ装置２０）に転送する。
【００５３】
台番号３のパチンコ機５において、特賞状態の発生が決定されると、パチンコ機５は特賞状態の発生予告を特定可能な第１特賞予告情報を対応する台番号３の呼出ランプ装置２０に送出する。台番号３の呼出ランプ装置２０は第１特賞予告情報受信部２６ａによって前記第１特賞予告情報を受信し（図５（ａ））、第２特賞予告情報と、台番号３の呼出ランプ装置２０が属するグループ（ここではグループ「Ａ」）を特定可能なグループ情報と、を、Ｘポート２６ｂを介して隣接する台番号２の呼出ランプ装置２０に送信し、同様にＹポート２６ｃを介して隣接する台番号５の呼出ランプ装置２０に送信する（図５（ｂ））。
【００５４】
さらに台番号２の呼出ランプ装置２０は台番号１の呼出ランプ装置２０に対して同様に第２特賞予告情報とグループ情報とを送信し、台番号５の呼出ランプ装置２０は台番号６の呼出ランプ装置２０に対して同様に第２特賞予告情報と、グループ情報とを送信する。このように台番号３の呼出ランプ装置から順次遠ざかるように第２特賞予告情報とグループ情報が送信され、最終的に接続された全ての呼出ランプ装置に送信される（図５（ｃ））。各呼出ランプ装置２０は、第２特賞情報信号を受信することによっていずれかのパチンコ機５で特賞状態の発生が決定されたと特定し、グループ情報判定手段２７ｇによってグループ情報からグループ「Ａ」を特定して、自らの属するグループが「Ａ」であれば所定の発光態様で特賞予告ランプ２１を発光させる。結果としてこの場合はグループ「Ａ」に属する台番号１〜５の呼出ランプ装置２０の特賞予告ランプ２１が発光する（図５（ｄ））ので台番号１〜５のパチンコ機５の遊技者は自らの台で特賞が発生するという期待感を持つことができる。
【００５５】
この台番号１〜５の呼出ランプ装置の特賞予告ランプ２１が発光している状態、即ち特賞状態の発生予告がされている状態は、台番号３のパチンコ機５の変動表示装置１１の表示結果が実際に予め定められた所定の結果（例えば「７７７」等）となった場合に終了する。即ち表示結果が前記所定の結果（「７７７」）となった際に台番号３のパチンコ機５の特賞情報出力回路１５ｅが駆動され、所定の表示結果が表示されたことを特定可能な特賞情報が情報出力基板１８を介して、対応する台番号３の呼出ランプ装置２０の特賞情報受信部２６ｄに送出される（図４）。台番号３の呼出ランプ装置２０は後述する特賞情報受信部２６ｄによって前記特賞情報を受信し、受信した特賞情報と、台番号３の呼出ランプ装置２０が属するグループを特定可能なグループ情報（ここではグループ「Ａ」）とを、Ｘポート２６ｂを介して隣接する台番号２の呼出ランプ装置２０に送信し、同様にＹポート２６ｃを介して隣接する台番号５の呼出ランプ装置２０に送信する。さらに台番号２の呼出ランプ装置２０は台番号１の呼出ランプ装置２０に対して同様に特賞情報と、グループ情報とを送信し、台番号５の呼出ランプ装置２０は台番号６の呼出ランプ装置２０に対して同様に特賞情報と、グループ情報とを送信する。このように台番号３の呼出ランプ装置から順次遠ざかるように特賞情報とグループ情報が送信され、最終的に接続された全ての呼出ランプ装置に送信される。各呼出ランプ装置２０は、特賞情報を受信することによっていずれかのパチンコ機５で所定の表示結果が表示されたと特定し、グループ情報からグループ「Ａ」を特定して、自らの属するグループが「Ａ」であれば発光している特賞予告ランプ２１の発光を停止させる。従って台番号３のパチンコ機５において変動表示装置１１が所定の結果となった場合には、特賞予告を報知する特賞予告ランプ２１の発光を停止させて、別途特賞状態に応じた演出を行うことができる。
【００５６】
［２．第２実施形態に係る遊技用システム１’］
次に第２実施形態に係る遊技用システム１’について説明する。図６は第２実施形態に係るパチンコ機５，呼出ランプ装置２０’，及びホールコンピュータ４０’を含む遊技用システム１’の一例を表す機能ブロック図である。この遊技用システム１’は図６に示すように、遊技機である複数のパチンコ機５と、各パチンコ機５に対応して設けられた遊技用装置である呼出ランプ装置２０’と、複数の呼出ランプ装置２０’と通信可能な集中制御装置であるホールコンピュータ４０’と、から構成される。なお、各パチンコ機５に対応してカードユニット３０が設けられている。また、各呼出ランプ装置２０’とホールコンピュータ４０’との間にはパチンコ機５及び呼出ランプ装置２０’と通信可能に接続された台端末３’と、台端末３’及びホールコンピュータ４０’とそれぞれＬＡＮ回線によって通信可能に接続された中継コンピュータ２’と、が設けられている。各パチンコ機５は各々が対応する呼出ランプ装置２０’と台端末３’を介して接続されている。ここで呼出ランプ装置２０’は、第１実施形態における呼出ランプ装置２０に相当する。パチンコ機５，及びカードユニット３０は、第１実施形態と同様である。
【００５７】
台端末３’は、遊技機（パチンコ機５）及び集中制御装置（ホールコンピュータ４０’）と通信可能に接続された装置の一例であって、前記遊技機を識別可能な遊技機識別情報を出力する。具体的には台端末３’はパチンコ機５から発せられるデータの収集及び中継コンピュータ２’に対するデータの送信を行う機能を有する装置である。また、この台端末３’は、複数の接続コネクタを備え、各接続コネクタに各パチンコ機５や呼出ランプ装置２０’を接続することにより、該接続された機器との間で通信可能なものであり、各パチンコ機５から送信された信号が各々所定の接続コネクタから入力されるため例えば特賞予告情報（ここでは第３特賞予告情報）を受信した際に該特賞予告情報を出力したパチンコ機５を特定可能である。ここではパチンコ機５から出力された第３特賞予告情報を受信して、該第３特賞予告情報及びパチンコ機５の台番号を特定可能な遊技機識別情報を中継コンピュータ２’を介してホールコンピュータ４０’に送信する。この台端末３’は、遊技島内に複数設けられる。また中継コンピュータ２’は、台端末３’から入力されたデータをホールコンピュータ４０’や、他の台端末３’に対して中継する機能を有する装置である。この中継コンピュータ２’は、遊技島の端部に設けられる。ここで該遊技島に設けられた各パチンコ機５，及び各呼出ランプ装置２０’は、台番号によって識別可能とされている。
【００５８】
次に、図７を用いてパチンコ機５，台端末３’呼出ランプ装置２０’，及びホールコンピュータ４０’における処理について説明する。
【００５９】
パチンコ機５の情報出力基板１８は第１実施形態と同様に特賞状態の発生予告を特定可能な第３特賞予告情報を外部（ここでは台端末３’）に送信する（図７）。これを受信した台端末３’は該第３特賞予告情報を出力したパチンコ機５を特定し、該パチンコ機５の台番号を特定可能な遊技機識別情報を中継コンピュータ２’を介してホールコンピュータ４０’に送信する。
【００６０】
ホールコンピュータ４０’は複数の遊技用装置と通信可能な集中制御装置の一例であって、遊技場内の所定箇所（例えば管理事務所等）に設けられ、中継コンピュータ２’及び台端末３’を介して各パチンコ機５及び呼出ランプ装置２０’と通信可能なものである。このホールコンピュータ４０’には、図６に示すように入力装置４１’，ディスプレイ４２’，ハードディスク４３’，通信部４４’，及び制御部４５’が設けられている。
【００６１】
入力装置４１’，及びディスプレイ４２’は特賞予告情報（ここでは第４特賞予告情報）を送信する遊技用装置（呼出ランプ装置２０’）のグループを設定するグループ設定手段の一例であって、以下に示す方法により各呼出ランプ装置２０’が属するグループを設定する。
【００６２】
図８には、ディスプレイ４２’にグループ設定画面が表示されている例である。各台番号の呼出ランプ装置毎にグループの入力欄（特賞予告グループ）が設けられていて（図８（ａ））、このグループの入力欄にＡ〜Ｚの文字をキーボードやマウスの入力装置４１’によって入力する。入力終了後に「適用」にマウスのポインタを合わせてクリックする（図８（ｂ））ことでグループの設定が完了して、該設定画面の表示内容，即ち各呼出ランプ装置２０の台番号に対応したグループ情報がグループ情報データベースとしてハードディスク４３’に記憶される。
【００６３】
ハードディスク４３’は、前述したグループ設定手段により設定されたグループ情報を記憶する。また、ハードディスク４３’は、遊技機識別情報と対応付けて該遊技機識別情報から特定される遊技機に対応する遊技用装置を個々に識別可能な情報を記憶する遊技用装置記憶手段の一例であって、前記遊技機識別情報であるパチンコ機５の台番号に対応する呼出ランプ装置２０’の台番号を記憶している。具体的には、ハードディスク４３’は遊技場内の各パチンコ機５の台番号と、これら各パチンコ機５に対応する各呼出ランプ装置２０’の台番号と、が対応付けられた遊技機データベースを記憶している。従って、制御部４５’は、遊技機識別情報に基づいて対応する呼出ランプ装置２０’を特定可能である。
【００６４】
前記通信部４４’の前記第３特賞予告情報受信部４４ｄ’は前記第３特賞予告情報、及び遊技機識別情報を受信すると、これらの情報を制御部４５’に送信する。ここで制御部４５’はＣＰＵ，ＲＡＭ，ＲＯＭ等を備え、ハードディスク４３’に記憶されている処理プログラムがＲＡＭを作業領域としてＣＰＵで実行されることにより、ホールコンピュータ４０’に設けられる各構成要素の動作を制御して各種の処理を行うものである。制御部４５’が第３特賞予告情報受信部４４ｄ’から送信された第３特賞予告情報、及び遊技機識別情報を受信すると、該遊技機識別情報によって該情報を送信したパチンコ機５の台番号を特定し、ハードディスク４３’に記憶された前記遊技機データベースを参照して該パチンコ機５に対応して設けられた呼出ランプ装置２０’の台番号を特定する。
【００６５】
ここで、制御部４５’と第４特賞予告情報送信部４４ａ’は、遊技機用特賞予告情報受信手段（第３特賞予告情報受信部４４ｄ’）により特賞予告情報（第３特賞予告情報）を受信したことに基づいて、前記遊技用装置記憶手段（ハードディスク４３’）に記憶された各遊技機（パチンコ機５）に対応した遊技用装置（呼出ランプ装置２０’）のうち、前記特賞予告情報を出力した遊技機に対応する遊技用装置を少なくとも含む一以上の遊技用装置に対して前記特賞予告情報（第４特賞予告情報）を送信する特賞予告情報送信手段、として作用する。即ち制御部４５’は、前記特定した呼出ランプ装置２０’の台番号から後述するグループ特定手段によって該呼出ランプ装置２０’が属するグループを特定し、該グループに属する呼出ランプ装置２０’に対して第４特賞予告情報を第４特賞予告情報送信部４４ａから送信する。ここで、第４特賞予告情報は第３特賞予告情報と同じく特賞状態の発生予告を特定可能な情報であるが、以下、パチンコ機５から送出された場合を第３特賞予告情報、ホールコンピュータ４０’から送出された場合を第４特賞予告情報としてこれらを区別する。
【００６６】
また、制御部４５’は、遊技機用特賞予告情報受信手段（第３特賞予告情報受信部４４ｄ’）により特賞予告情報（第３特賞予告情報）及び遊技機識別情報を受信したときに、前記グループ設定手段による設定に基づいて、該遊技機識別情報から特定される遊技機（パチンコ機５）に対応する遊技用装置（呼出ランプ装置２０’）が属するグループを特定するグループ特定手段の一例であって、前述のように特定した呼出ランプ装置２０’の台番号を基に前記グループ設定によってハードディスク４３に記憶されているグループ情報データベースを参照して当該呼出ランプ装置２０’が属するグループを特定して、特賞予告情報送信手段（第４特賞予告情報送信部４４ａ’）によって、該グループ特定手段（ここでは制御部４５’）により特定された前記グループに属する各遊技用装置（呼出ランプ装置２０’）に対して特賞予告情報（第４特賞予告情報）を送信する。
【００６７】
呼出ランプ装置２０’はパチンコ機５に対応して設けられる遊技用装置の一例であって、第１実施形態における呼出ランプ装置２０に相当し、特賞状態の発生予告を所定の報知態様で報知する報知手段である特賞予告ランプ２１と、報知手段における報知態様を記憶する報知態様記憶手段の一例である発光態様記憶手段２７ａと、後述する集中制御装置用特賞予告情報受信手段である第４特賞予告情報受信部２６ｇ’が特賞予告情報を受信したことに基づいて報知態様記憶手段に記憶されている報知態様から所定の報知態様を抽出する報知態様抽出手段の一例である発光態様抽出手段２７ｂと、該報知態様抽出手段により抽出された所定の報知態様で前記報知手段を制御する報知制御手段の一例である発光制御手段２７ｃと、を備えている。これら発光態様記憶手段２７ａ，発光態様抽出手段２７ｂ，及び発光制御手段２７ｃが行う処理は第１実施形態と同様である。
【００６８】
ここで、呼出ランプ装置２０’は、第１実施形態における呼出ランプ装置２０と異なり、前記グループ設定、グループ情報の記憶，及びグループ特定に係る機能を備えていないため、第１実施形態におけるグループ設定手段であるモード切替キー２５，及びモード切替手段２７ｅ，グループ記憶手段２７ｆ，グループ特定手段であるグループ情報判定手段２７ｇに相当する機能は有していない。
【００６９】
通信部２６’には集中制御装置の特賞予告情報送信手段から送信された特賞予告情報を受信する集中制御装置用特賞予告情報受信手段の一例である第４特賞予告情報受信部２６ｇ’が設けられていて、ホールコンピュータ４０’の第４特賞予告情報送信部４４ａ’から送信された第４特賞予告情報を受信して、制御部２７’に送信する。制御部２７’は前記発光態様記憶手段２７ａ，発光態様抽出手段２７ｂ，及び発光制御手段２７ｃによって特賞予告ランプ２１を発光させる。
【００７０】
次に図９を用いて複数のパチンコ機５と、呼出ランプ装置２０’と、台端末３’及びホールコンピュータ４０’と、からなる遊技用システム１’の作用についてその概要を説明する。ここでは、図９に示すように台番号１〜１０の各パチンコ機５に対応して設けられた台番号１〜１０の呼出ランプ装置２０’と、ホールコンピュータ４０’と、から構成される遊技用システム１’において、台番号３のパチンコ機５で特賞状態の発生が決定された場合について説明する。ここで台番号１〜５の呼出ランプ装置２０’は前述したようにホールコンピュータ４０’による設定によってグループＡに設定され、台番号６〜１０の呼出ランプ装置２０’はグループＢに設定されている。またホールコンピュータ４０’のハードディスク４３’には前記グループ情報データベース，及び前記遊技機データベースが記憶されているので、ホールコンピュータ４０’はパチンコ機５の台番号を特定することによって、該パチンコ機５に対応する呼出ランプ装置２０’の台番号，及び該呼出ランプ装置２０’が属するグループを特定することが出来る。なお、ここでは、台番号として４及び９は用いられておらず、また、台番号３のパチンコ機５以外のパチンコ機５は図９中には図示しない。
【００７１】
図９に示すように、台番号１〜１０の呼出ランプ装置２０’は、それぞれ対応する台端末３’，３’と接続され中継コンピュータ２’を介してホールコンピュータ４０’に接続されている。台番号３のパチンコ機５において、特賞状態の発生が決定されると、パチンコ機５は特賞状態の発生予告を特定可能な第３特賞予告情報を対応する台端末３’に送信する。台端末３’は第３特賞予告情報を受信すると，該第３特賞予告情報とパチンコ機５の台番号（即ち「３」）を特定可能な遊技機識別情報を中継コンピュータ２’を介してホールコンピュータ４０’に送信する（図９（ａ））。ホールコンピュータ４０’は第３特賞予告情報を受信することによって特賞状態の発生予告を特定し、遊技機識別情報によってパチンコ機５の台番号「３」を特定し、この特定結果から台番号「３」に対応する呼出ランプ装置２０’の台番号（ここでは「３」）を特定する。さらに前記呼出ランプ装置２０’の台番号（即ち「３」）から該呼出ランプ装置２０’が属するグループ（即ち「Ａ」）を特定して、グループ「Ａ」に属する呼出ランプ装置２０’（即ち台番号１〜５の呼出ランプ装置２０’）に特賞状態の発生予告を特定可能な第４特賞予告情報を中継コンピュータ２’，台端末３’を介して送信する（図９（ｂ））。グループ「Ａ」に属する台番号１〜５の呼出ランプ装置２０’が第４特賞予告情報を受信すると、各々任意の発光態様で特賞予告ランプ２１が発光する（図９（ｃ））ので台番号１〜５のパチンコ機５の遊技者は自らの台で特賞が発生するという期待感を持つことができる。
【００７２】
この台番号１〜５の呼出ランプ装置の特賞予告ランプ２１が発光している状態、即ち特賞状態の発生が予告されている状態は、台番号３のパチンコ機５の変動表示装置１１の表示結果が実際に予め定められた所定の結果（例えば「７７７」等）となった場合に終了する。即ち表示結果が前記所定の結果（「７７７」）となった際に台番号３のパチンコ機５の特賞情報出力回路１５ｅが駆動され、所定の表示結果が表示されたことを特定可能な特賞情報が情報出力基板１８から台端末３’に送信され、台端末３’は該特賞情報と所定の表示結果が表示されたパチンコ機５を特定可能な遊技機識別情報（即ち台番号「３」を特定可能な情報）を中継コンピュータ２’を介してホールコンピュータ４０’に送信する（図７）。ホールコンピュータ４０’は特賞情報を受信することによって特賞状態になったと特定し、遊技機識別情報によってパチンコ機５の台番号「３」を特定し、この特定結果から台番号「３」に対応する呼出ランプ装置２０’の台番号（ここでは「３」）を特定する。さらに前記呼出ランプ装置２０’の台番号（即ち「３」）から該呼出ランプ装置２０’が属するグループ（即ち「Ａ」）を特定して、グループ「Ａ」に属する呼出ランプ装置２０’（即ち台番号１〜５の呼出ランプ装置２０’）に、受信した特賞情報を中継コンピュータ２’，台端末３’を介して送信する。グループ「Ａ」に属する台番号１〜５の呼出ランプ装置２０’が特賞情報を受信すると、各々特賞予告ランプ２１の発光を停止する。従って台番号３のパチンコ機５において変動表示装置１１が所定の結果となった場合には、特賞予告を報知する特賞予告ランプ２１の発光を停止させて、別途特賞状態に応じた演出を行うことができる。
【００７３】
以上に説明した実施形態と対応付けて本願の請求項に係る発明を説明すると、以下のとおりである。
【００７４】
まず請求項１に係る発明は、複数種類の識別情報を変動表示可能な変動表示装置（１１）を備え、該変動表示装置の表示結果が特定の表示態様となったときに、遊技者に有利な特賞状態が発生する遊技機（パチンコ機５）であって、前記変動表示装置の識別情報を変動表示する条件が成立したか否かを判定する変動条件成立判定手段（回路制御部１５ｇ）と、該変動条件成立判定手段により前記変動表示する条件が成立したと判定されたことに基づいて、前記変動表示装置の表示結果を決定する表示結果決定手段（回路制御部１５ｇ）と、前記変動表示装置の変動表示が停止する以前において、前記表示結果決定手段により決定された表示結果が前記特定の表示態様であるか否かを判定する表示結果判定手段（回路制御部１５ｇ）と、該表示結果判定手段により前記特定の表示結果であると判定されたことに基づいて、前記特賞状態の発生を予告する特賞予告情報（第１特賞予告情報）を外部に出力する特賞予告情報出力手段（回路制御部１５ｇ，特賞予告情報出力回路１５ｆ，及び情報出力基板１８）と、を備えることを特徴とする遊技機である。
【００７５】
また請求項２に係る発明は、請求項１に記載した遊技機（パチンコ機５）であって、前記表示結果決定手段（回路制御部１５ｇ）により決定された表示結果となる識別情報の変動表示を開始する条件が成立したか否かを判定する変動開始条件成立判定手段（回路制御部１５ｇ）をさらに備え、前記特賞予告情報出力手段（回路制御部１５ｇ，特賞予告情報出力回路１５ｆ，及び情報出力基板１８）は、該変動開始条件成立判定手段により前記変動表示を開始する条件が成立したと判定される以前に、前記特賞予告情報（第１特賞予告情報）を外部に出力することを特徴とする遊技機である。
【００７６】
また請求項３に係る発明は、請求項１又は２に記載した遊技機（パチンコ機５）に対応して設けられる遊技用装置（呼出ランプ装置２０）であって、前記対応する遊技機の特賞予告情報出力手段（情報出力基板１８）から出力された特賞予告情報（第１特賞予告情報）を受信する対応遊技機用特賞予告情報受信手段（第１特賞予告情報受信部２６ａ）と、前記対応する遊技機の特賞予告情報出力手段から出力された特賞予告情報を当該遊技用装置に隣接する他の遊技用装置に送信する特賞予告情報送信手段（Ｘポート２６ｂ，及びＹポート２６ｃ）と、他の遊技用装置の特賞予告情報送信手段から送信された特賞予告情報（第２特賞予告情報）を受信する遊技用装置用特賞予告情報受信手段（Ｘポート２６ｂ，及びＹポート２６ｃ）と、前記特賞状態の発生予告を所定の報知態様で報知する報知手段（特賞予告ランプ２１）と、該報知手段における報知態様を記憶する報知態様記憶手段（発光態様記憶手段２７ａ）と、前記対応遊技機用特賞予告情報受信手段又は前記遊技用装置用特賞予告情報受信手段により前記特賞予告情報（第１特賞予告情報又は第２特賞予告情報）を受信したことに基づいて、前記報知態様記憶手段に記憶されている報知態様から所定の報知態様を抽出する報知態様抽出手段（発光態様抽出手段２７ｂ）と、該報知態様抽出手段により抽出された所定の報知態様で前記報知手段を制御する報知制御手段（発光制御手段２７ｃ）と、を備え、前記特賞予告情報送信手段（Ｘポート２６ｂ，及びＹポート２６ｃ）は、前記他の遊技用装置の特賞予告情報送信手段から送信された特賞予告情報（第２特賞予告情報）を他の遊技用装置に転送することを特徴とする遊技用装置である。
【００７７】
また請求項４に係る発明は、請求項３に記載した遊技用装置（呼出ランプ装置２０）であって、該遊技用装置が属するグループを設定するグループ設定手段（モード切替キー２５，呼出ボタン２４，ディスプレイ２３，及びモード切替手段２７ｅ）と、前記対応遊技機用特賞予告情報受信手段（第１特賞予告情報受信部２６ａ）により前記特賞予告情報（第１特賞予告情報）を受信したことに基づいて、前記グループ設定手段により設定されたグループを特定可能なグループ情報を他の遊技用装置に送信するグループ情報送信手段（Ｘポート２６ｂ，及びＹポート２６ｃ）と、他の遊技用装置のグループ情報送信手段から送信されたグループ情報を受信するグループ情報受信手段（Ｘポート２６ｂ，及びＹポート２６ｃ）と、該グループ情報受信手段により前記グループ情報を受信したことに基づいて、当該遊技用装置が該グループ情報から特定されるグループに属するか否かを判定するグループ情報判定手段（２７ｇ）と、を備え、前記報知制御手段（発光制御手段２７ｃ）は、該グループ情報判定手段により前記グループに属すると判定されたときに、前記報知手段（特賞予告ランプ２１）を制御することを特徴とする遊技用装置である。
【００７８】
また請求項５に係る発明は、請求項１又は２に記載した遊技機（パチンコ機５）と、請求項３又は４に記載した遊技用装置（呼出ランプ装置２０）と、からなる遊技用システム（１）である。
【００７９】
また請求項６に係る発明は、請求項１又は２に記載した遊技機（パチンコ機５）に対応して設けられる遊技用装置（呼出ランプ装置２０，２０’）と、複数の該遊技用装置と通信可能な集中制御装置（ホールコンピュータ４０’）と、を含む遊技用システム（１’）であって、前記集中制御装置は、前記遊技機の特賞予告情報出力手段（情報出力基板１８）から出力された特賞予告情報（第３特賞予告情報）を受信する遊技機用特賞予告情報受信手段と、前記遊技機に対応する遊技用装置を個々に識別可能な情報を記憶する遊技用装置記憶手段（ハードディスク４３’）と、前記遊技機用特賞予告情報受信手段により前記特賞予告情報を受信したことに基づいて、前記遊技用装置記憶手段に記憶された各遊技機に対応した遊技用装置のうち、前記特賞予告情報を出力した遊技機に対応する遊技用装置を少なくとも含む一以上の遊技用装置に対して前記特賞予告情報を送信する特賞予告情報送信手段（制御部４５’，及び第４特賞予告情報送信部４４ａ’）と、を備え、前記遊技用装置は、前記集中制御装置の特賞予告情報送信手段から送信された特賞予告情報（第４特賞予告情報）を受信する集中制御装置用特賞予告情報受信手段（第４特賞予告情報受信部２６ｇ’）と、前記特賞状態の発生予告を所定の報知態様で報知する報知手段（特賞予告ランプ２１）と、該報知手段における報知態様を記憶する報知態様記憶手段（発光態様記憶手段２７ａ）と、前記集中制御装置用特賞予告情報受信手段により前記特賞予告情報を受信したことに基づいて、前記報知態様記憶手段に記憶されている報知態様から所定の報知態様を抽出する報知態様抽出手段（発光態様抽出手段２７ｂ）と、該報知態様抽出手段により抽出された所定の報知態様で前記報知手段を制御する報知制御手段（発光制御手段２７ｃ）と、を備えることを特徴とする遊技用システムである。
【００８０】
また請求項７に係る発明は、請求項６に記載した遊技用システム（１’）であって、前記集中制御装置（ホールコンピュータ４０’）は、前記特賞予告情報（第４特賞予告情報）を送信する遊技用装置（呼出ランプ装置２０’）のグループを設定するグループ設定手段（入力装置４１’，及びディスプレイ４２’）と、前記遊技機用特賞予告情報受信手段（第３特賞予告情報受信部４４ｄ’）により前記特賞予告情報（第３特賞予告情報）及び前記遊技機識別情報を受信したときに、前記グループ設定手段（入力装置４１’，及びディスプレイ４２’）による設定に基づいて、該遊技機識別情報から特定される遊技機（パチンコ機５）に対応する遊技用装置（呼出ランプ装置２０’）が属するグループを特定するグループ特定手段（制御部４５’）と、を備え、前記特賞予告情報送信手段（制御部４５’，及び第４特賞予告情報送信部４４ａ’）は、該グループ特定手段（制御部４５’）により特定されたグループに属する各遊技用装置に対して前記特賞予告情報（第４特賞予告情報）を送信することを特徴とする遊技用システムである。
【００８１】
また請求項８に係る発明は、請求項１又は２に記載した遊技機（パチンコ機５）と、請求項６又は７に記載した遊技用システム（１’）と、からなる遊技用システム（１’）である。
【００８２】
さらに請求項９に係る発明は、請求項３〜８のいずれか１つに記載した遊技用装置（呼出ランプ装置２０，２０’）又は遊技用システム（１，１’）であって、前記報知態様記憶手段（発光態様記憶手段２７ａ）は、複数種類の報知態様を記憶しており、前記報知態様抽出手段（発光態様抽出手段２７ｂ）は、前記特賞予告情報（第１特賞予告情報，第２特賞予告情報，第４特賞予告情報）を受信したことに基づいて、前記報知態様記憶手段に記憶されている複数種類の報知態様から任意の報知態様を抽出することを特徴とする遊技用装置又は遊技用システムである。
【００８３】
最後に、本発明の変形例について説明する。
【００８４】
上記の実施形態では、遊技用表示システム１’に備えられる各装置がＬＡＮ回線により接続されている例について説明したが、これに限らず、各装置は無線により接続されても良い。
【００８５】
上記の実施形態では、遊技機がＣＲ式のパチンコ機５である例について説明したが、これに限らず、該遊技機は、現金玉貸機から貸し出されるパチンコ玉を使用して遊技を行う現金式のパチンコ機でも良い。また、これらパチンコ機は、遊技媒体であるパチンコ玉が指触不能に封入されると共に入賞口への入賞に応じて得点が付与される封入式のパチンコ機であっても良い。さらに遊技機はパチンコ機に限らずスロットマシンであっても良い。スロットマシンの場合には、スタートレバーの操作を検出して変動条件成立判定を行うと良い。
【００８６】
上記の実施形態では、遊技用装置が呼出ランプ装置２０又は２０’である例について説明したが、これに限らず、該遊技用表示装置は、遊技機に対応して設けられる貸与処理装置（カードユニット３０）でも良い。
【００８７】
上記の実施形態では、特賞予告ランプ２１が所定の発光態様で発光することによって特賞状態の発生予告を報知したが、ランプ２２が所定の発光態様で発光することによって特賞状態の発生予告を報知しても良く、また、呼出ランプ装置２０に設けたスピーカーから効果音を出力させることによって報知しても良い。さらにディスプレイ２３によって報知しても良い。
【００８８】
上記の第１実施形態では、グループ設定された呼出ランプ装置２０は隣接する呼出ランプ装置２０に特賞予告情報を送信したが、これに限らず、例えば図１０に示すように第１実施形態の方法で予めグループ設定された各呼出ランプ装置２０が台端末３，中継コンピュータ２を介して接続した状態で、パチンコ機５から特賞予告情報を受信した呼出ランプ装置２０が特賞予告情報と、グループ情報と、を台端末３を介して中継コンピュータ２に送信し（図１０（ａ））、これを受信した中継コンピュータ２が台端末３を介して接続された全ての呼出ランプ装置２０に特賞予告情報とグループ情報を送信し（図１０（ｂ））、これを受信した各呼出ランプ装置２０においてグループ判定が行われて、特賞予告ランプ２１の発光制御がされても良い（図１０（ｃ））。この場合には中継コンピュータ２によってグループ設定がされてもよい。
【００８９】
上記の第１実施形態では、呼出ランプ装置２０は隣接する呼出ランプ装置２０から送信された特賞予告情報を送信元以外の他の呼出ランプ装置２０に送信したが、これに限らず、送信元の呼出ランプ装置２０に送信しても良い。この場合には、さらに各特賞予告ランプ２１を所定の遅延時間後に所定時間だけ発光させる等、グループ内のどのパチンコ機５で特賞状態の発生が決定されたのかを遊技者が特定できないような特賞予告の演出を行うと良い。
【００９０】
上記の第２実施形態では、ホールコンピュータ４０’によってグループ設定を行ったが、これに限らず例えば島毎に設けられ各呼出ランプ装置２０’と接続された中継コンピュータ２’によってグループ設定を行っても良い。この場合には特賞状態の発生が決定されたパチンコ機５から特賞予告情報が送信され、これを受信した台端末３’が該特賞予告情報と該パチンコ機５を特定可能な遊技機識別情報を中継コンピュータ２’に送信し、中継コンピュータ２’において該パチンコ機５が特定され、該パチンコ機５に対応する呼出ランプ装置２０’が特定され、さらに該呼出ランプ装置２０’が属するグループが特定され、該特定されたグループに属する呼出ランプ装置２０’に対して特賞予告情報が送信され、各特賞予告ランプ２１が発光して特賞予告が報知される。即ちこの場合には、中継コンピュータ２’が集中制御装置として作用する。また、ホールコンピュータ４０’によってグループ設定を各パチンコ機５毎に行ったが、これに限らず島単位，機種単位，又は列単位等、所定の単位で行っても良い。
【００９１】
上記の実施形態では、呼出ランプ装置２０、２０’についてグループ設定を行ったが、これに限らず呼出ランプ装置２０をグループ設定せずに接続されている全ての呼出ランプ装置２０の特賞予告ランプ２１を発光させても良い。
【００９２】
上記の第１実施形態では、特賞予告情報とグループ情報を隣接する他の呼出ランプ装置２０に送信しているが、グループ情報だけを送信しても良い。この場合、前記グループ情報を受信した呼出ランプ装置２０は、該グループ情報から特定されるグループに属していれば特賞予告ランプ２１を発光させる。
【００９３】
上記の第１実施形態では、呼出ランプ装置２０は特賞状態の発生が決定したパチンコ機５に対応する呼出ランプ装置２０が属するグループ（例えばＡグループ）と同一グループの場合に特賞予告ランプ２１を発光させたが、これに限らず所定のグループ（例えばＡグループ及びＢグループ）に属する呼出ランプ装置２０を発光させても良い。この場合、特賞状態の発生が決定したパチンコ機５に対応する呼出ランプ装置２０は自らが属するグループ（Ａグループ）と、その他の所定のグループ（Ｂグループ）を特定可能なグループ情報を他の呼出ランプ装置２０に送信する。
【００９４】
上記の第２実施形態では、ホールコンピュータ４０’は特賞状態の発生が決定した呼出ランプ装置２０’が属するグループ（例えばＡグループ）と同一グループの呼出ランプ装置２０’に特賞予告情報を送信して特賞予告ランプ２１を発光させたが、これに限らず所定のグループ（例えばＡグループ及びＢグループ）に属する呼出ランプ装置２０’に特賞予告情報を送信して特賞予告ランプ２１を発光させても良い。
【００９５】
上記の実施形態では、始動入賞が記憶されている場合（即ち保留玉がある場合）には、変動表示が開始する前に特賞予告を行ったが、これに限らず変動表示が開始されてから特賞予告が行われても良い。なお、保留玉の上限は４個には限られない。
【００９６】
【発明の効果】
本発明に係る遊技用表示装置及び遊技用表示システムによれば、以下のような効果を奏する。
【００９７】
まず請求項１に係る遊技機によれば、特賞状態の発生が決定した場合には、変動表示装置の変動表示が停止する以前に特賞予告情報を遊技機の外部に出力するので、遊技機の機種を問わずに遊技用装置によって特賞予告の演出を行うことができる。
【００９８】
また請求項２に係る遊技機によれば、変動表示を開始する条件が成立する以前であっても特賞予告情報を遊技機の外部に出力するので、例えば保留玉による変動の開始を待たずに特賞予告の演出をすることができる。
【００９９】
また請求項３に係る遊技用装置によれば、対応する遊技機又は隣接する遊技用装置から出力された特賞予告情報を受信して他の遊技用装置に送信するので、接続された全ての遊技用装置において、遊技機の機種を問わずに特賞予告を行うことができる。
【０１００】
また請求項４に係る遊技用装置によれば、遊技用装置が属するグループの設定がされ、特賞状態の発生が決定した遊技機に対応する遊技用装置のグループを特定するので、設定されたグループ内での特賞予告の演出を行うことができる。
【０１０１】
また請求項５に係る遊技用システムによれば、対応する遊技機又は隣接する遊技用装置から出力された特賞予告情報を受信して他の遊技用装置に送信するので、接続された全ての遊技用装置において、遊技機の機種を問わずに特賞予告を行うことができる。
【０１０２】
また請求項６に係る遊技用システムによれば、集中制御装置に接続された全ての遊技用装置において、遊技機の機種を問わずに遊技用装置によって特賞予告の演出を行うことができる。
【０１０３】
また請求項７に係る遊技用システムによれば、集中制御装置によって各遊技用装置が属するグループが設定され、特賞状態の発生が決定した遊技機に対応する遊技用装置のグループを特定して特賞予告情報を送信するので、設定されたグループ内での特賞予告の演出を行うことができる。
【０１０４】
また請求項８に係る遊技用システムによれば、集中制御装置に接続された全ての遊技用装置において、遊技機の機種を問わずに遊技用装置によって特賞予告の演出を行うことができる。
【０１０５】
さらに請求項９に係る遊技用装置又は遊技用システムによれば、遊技用装置において複数種類の報知態様から任意の報知態様が抽出されるので、多彩な特賞予告の演出を行うことができる。
【図面の簡単な説明】
【図１】図１は第１実施形態に係る遊技機及び呼出ランプ装置を含む遊技用システムの一例を表す機能ブロック図である。
【図２】図２は遊技機及び、第１実施形態に係る遊技用装置の外観の一例を表す図である。
【図３】図３は第１実施形態に係る呼出ランプ装置におけるグループ設定方法の一例を表す図である。
【図４】図４は第１実施形態に係る遊技機及び呼出ランプ装置の一例を表す機能ブロック図である。
【図５】図５は第１実施形態に係る呼出ランプ装置間における情報送受の一例を表す図である。
【図６】図６は第２実施形態に係る遊技機，呼出ランプ装置，及びホールコンピュータを含む遊技用システムの一例を表す機能ブロック図である。
【図７】図７は第２実施形態に係る遊技機，呼出ランプ装置，及びホールコンピュータの一例を表す機能ブロック図である。
【図８】図８は第２実施形態に係るホールコンピュータにおけるグループ設定方法の一例を表す図である。
【図９】図９は第２実施形態に係る呼出ランプ装置とホールコンピュータにおける情報送受の一例を表す図である。
【図１０】図１０は第１実施形態の変形例に係る呼出ランプ装置と中継コンピュータにおける情報送受の一例を表す図である。
【符号の説明】
１…遊技用システム
５…パチンコ機
１１…変動表示装置
１５ｆ…特賞予告情報出力回路
１５ｇ…回路制御部
１８…情報出力基板
２０…呼出ランプ装置
２１…特賞予告ランプ
２３…ディスプレイ
２４…呼出ボタン
２５…モード切替キー
２６ａ…第１特賞予告情報受信部
２６ｂ…Ｘポート
２６ｃ…Ｙポート
２７ａ…発光態様記憶手段
２７ｂ…発光態様抽出手段
２７ｃ…発光制御手段
２７ｅ…モード切替手段
２７ｇ…グループ情報判定手段
【図１】
2004329758.tif 000003
【図２】
2004329758.tif 000004
【図３】
2004329758.tif 000005
【図４】
2004329758.tif 000006
【図５】
2004329758.tif 000007
【図６】
2004329758.tif 000008
【図７】
2004329758.tif 000009
【図８】
2004329758.tif 000010
【図９】
2004329758.tif 000011
【図１０】
2004329758.tif 000012